(57)【要約】【課題】記憶メディアの記憶領域を有効に活用させ得る復号化装置、復号化方法、再生装置及び再生方法と、記憶メディア自体の実用性を向上させ得る記憶メディアとを提案する。【解決手段】所定の符号化方式により符号化され、記憶メディアに記憶された互いに解像度が異なる複数の動画像情報及び動画像情報に付随する所定の解像度の付随情報のうち、記憶メディアから読み出された所定の解像度の動画像情報及び付随情報をそれぞれ復号化し、当該復号化された動画像情報の解像度と付随情報の解像度とが互いに異なる場合に、付随情報の解像度を動画像情報の解像度に変換するようにした。また、互いに解像度が異なる複数の動画像情報と、動画像情報に付随する所定の解像度の付随情報とを所定の符号化方式により符号化して１つの記憶メディアに記憶するようにした。【選択図】        図３
2004312304.tif 000002
【特許請求の範囲】
【請求項１】
所定の符号化方式により符号化され、記憶メディアに記憶された互いに解像度が異なる複数の動画像情報及び上記動画像情報に付随する所定の解像度の付随情報のうち、上記記憶メディアから読み出された所定の上記解像度の上記動画像情報及び上記付随情報をそれぞれ復号化する復号化手段と、
上記復号化手段により復号化された上記動画像情報の上記解像度と、上記付随情報の上記解像度とが互いに異なる場合に、上記付随情報の上記解像度を上記動画像情報の上記解像度に変換する解像度変換手段と
を具えることを特徴とする復号化装置。
【請求項２】
上記付随情報の上記解像度の変換割合を選択させる選択手段を具え、
上記解像度変換手段は、
上記選択手段により選択された上記変換割合に応じて、上記付随情報の上記解像度を上記動画像情報の上記解像度以上に変換する
ことを特徴とする請求項１に記載の復号化装置。
【請求項３】
上記解像度変換手段は、
上記選択手段により選択された上記変換割合に応じて上記付随情報の色を変更する
ことを特徴とする請求項２に記載の復号化装置。
【請求項４】
所定の符号化方式により符号化され、記憶メディアに記憶された互いに解像度が異なる複数の動画像情報及び上記動画像情報に付随する所定の解像度の付随情報のうち、上記記憶メディアから読み出された所定の上記解像度の上記動画像情報及び上記付随情報をそれぞれ復号化する第１のステップと、
上記第１のステップで復号化された上記動画像情報の上記解像度と、上記付随情報の上記解像度とが互いに異なる場合に、上記付随情報の上記解像度を上記動画像情報の上記解像度に変換する第２のステップと
を具えることを特徴とする復号化方法。
【請求項５】
所定の符号化方式により符号化され、記憶メディアに記憶された互いに解像度が異なる複数の動画像情報及び上記動画像情報に付随する所定の解像度の付随情報のうち、所定の上記解像度の上記動画像情報及び上記付随情報を上記記憶メディアから読み出す読出手段と、
上記読出手段により読み出された上記動画像情報及び上記付随情報を復号化する復号化手段と、
上記復号化手段により復号化された上記動画像情報の上記解像度と、上記付随情報の上記解像度とが互いに異なる場合に、上記付随情報の上記解像度を上記動画像情報の上記解像度に変換する解像度変換手段と
を具えることを特徴とする再生装置。
【請求項６】
所定の符号化方式により符号化され、記憶メディアに記憶された互いに解像度が異なる複数の動画像情報及び上記動画像情報に付随する所定の解像度の付随情報のうち、所定の上記解像度の上記動画像情報及び上記付随情報を上記記憶メディアから読み出す第１のステップと、
上記第１のステップで読み出された上記動画像情報及び上記付随情報を復号化する第２のステップと、
上記第２のステップで復号化された上記動画像情報の上記解像度と、上記付随情報の上記解像度とが互いに異なる場合に、上記付随情報の上記解像度を上記動画像情報の上記解像度に変換する第３のステップと
を具えることを特徴とする再生方法。
【請求項７】
互いに解像度が異なる複数の動画像情報と、
上記動画像情報に付随する所定の解像度の付随情報とが所定の符号化方式により符号化されて記憶された
ことを特徴とする記憶メディア。
【発明の詳細な説明】
【０００１】
【発明の属する技術分野】
本発明は、復号化装置及びその方法、再生装置及びその方法並びに記憶メディアに関し、例えば記憶メディアに記憶された符号化ストリームを再生する再生装置に適用して好適なものである。
【０００２】
【従来の技術】
従来、映画を再生するための記憶メディアには、図６に示すように、所定の符号化方式により符号化された映像ストリームがシーンごとに記憶されると共に、当該各シーンの映像ストリームにそれぞれ対応付けて、例えば音質の異なる２つの音声ストリームと、国の言語に対応する複数の字幕のデータ（以下、これを字幕情報と呼ぶ）とが当該符号化方式により符号化されて記憶される。
【０００３】
また、ＮＴＳＣ（Ｎａｔｉｏｎａｌ  ＴｅｌｅｖｉＳｉｏｎ  Ｓｙｓｔｅｍ  Ｃｏｍｍｉｔｅｅ）  方式に準拠した解像度の映像ストリームと、ＨＤＴＶ（Ｈｉｇｈ  Ｄｅｆｉｎｉｔｉｏｎ  ＴｅｌｅｖｉＳｉｏｎ  Ｓｙｓｔｅｍ）  方式に準拠した解像度の映像ストリームとを記憶メディアに記憶する場合、図７に示すように、互いに解像度が異なる映像ストリーム及び対応する字幕情報ごとに別々の記憶メディアが用いられる。
【０００４】
そして再生装置は、このようにして記憶された記憶メディアを再生する場合、当該記憶メディアから映像ストリームと、対応する１つの音声ストリーム及び字幕情報とをシーン毎に適宜読み出し、対応する符号化方式に従った復号化処理を施すことにより映像信号、字幕信号及び音声信号を生成し、当該映像信号及び字幕信号に基づく映像及び字幕を表示部に表示すると共に音声信号に基づく音声をスピーカから出力するようになされている。
【０００５】
【発明が解決しようとする課題】
【０００６】
ところで、近年、記憶メディアの情報蓄積量が向上していることもあり、互いに解像度の異なる複数の映像ストリームと、対応する字幕情報とを１つの記憶メディアに記憶することができれば、例えばＮＴＳＣ方式、ＨＤＴＶ方式あるいはＰＡＬ（Ｐｈａｓｅ  Ａｌｔｅｒｎａｔｉｏｎ  ｂｙ  Ｌｉｎｅ）  方式等の各種方式のうち１方式だけの解像度に対応したモニタや再生装置等の各種映像機器がそれぞれ既存のままで映像ストリームを取り扱うことができる分、記憶メディア自体の実用性を向上させることができるものと考えられる。
【０００７】
この場合、再生装置において、１つの解像度にのみ対応する字幕情報を用いて、互いに解像度の異なる複数の映像ストリームに対応させて再生することができれば、当該各複数の字幕情報を記憶メディアに記憶しない分、より記憶メディアの記憶領域を有効に活用させることができるものと考えられる。
【０００８】
本発明は以上の点を考慮してなされたもので、記憶メディア自体の実用性を向上させ得る記憶メディアと、記憶メディアの記憶領域を有効に活用させ得る復号化装置、復号化方法、再生装置及び再生方法を提案しようとするものである。
【０００９】
【課題を解決するための手段】
かかる課題を解決するため本発明においては、復号化装置において、所定の符号化方式により符号化され、記憶メディアに記憶された互いに解像度が異なる複数の動画像情報及び動画像情報に付随する所定の解像度の付随情報のうち、記憶メディアから読み出された所定の解像度の動画像情報及び付随情報をそれぞれ復号化する復号化手段と、復号化手段により復号化された動画像情報の解像度と付随情報の解像度とが互いに異なる場合に、付随情報の解像度を動画像情報の解像度に変換する解像度変換手段とを設けるようにした。
【００１０】
この結果、この復号化装置では、互いに解像度の異なる複数の動画像情報に対応する付随情報をそれぞれ記憶メディアに記憶しなくとも、当該１つの付随情報を共用して各動画像情報の解像度に対応する付随情報として生成することができる。
【００１１】
また本発明においては、復号化方法において、所定の符号化方式により符号化され、記憶メディアに記憶された互いに解像度が異なる複数の動画像情報及び動画像情報に付随する所定の解像度の付随情報のうち、記憶メディアから読み出された所定の解像度の動画像情報及び付随情報をそれぞれ復号化する第１のステップと、第１のステップで復号化された動画像情報の解像度と付随情報の解像度とが互いに異なる場合に、付随情報の解像度を動画像情報の解像度に変換する第２のステップと
を設けるようにした。
【００１２】
この結果、この復号化方法では、互いに解像度の異なる複数の動画像情報に対応する付随情報をそれぞれ記憶メディアに記憶しなくとも、当該１つの付随情報を共用して各動画像情報の解像度に対応する付随情報として生成することができる。
【００１３】
さらに本発明においては、再生装置において、所定の符号化方式により符号化され、記憶メディアに記憶された互いに解像度が異なる複数の動画像情報及び動画像情報に付随する所定の解像度の付随情報のうち、所定の解像度の動画像情報及び付随情報を記憶メディアから読み出す読出手段と、読出手段により読み出された動画像情報及び付随情報を復号化する復号化手段と、復号化手段により復号化された動画像情報の解像度と付随情報の解像度とが互いに異なる場合に、付随情報の解像度を動画像情報の解像度に変換する解像度変換手段とを設けるようにした。
【００１４】
この結果、この再生装置では、互いに解像度の異なる複数の動画像情報に対応する付随情報をそれぞれ記憶メディアに記憶しなくとも、当該１つの付随情報を共用して各動画像情報の解像度に対応する付随情報として生成することができる。
【００１５】
さらに本発明においては、再生方法において、所定の符号化方式により符号化され、記憶メディアに記憶された互いに解像度が異なる複数の動画像情報及び動画像情報に付随する所定の解像度の付随情報のうち、所定の解像度の動画像情報及び付随情報を記憶メディアから読み出す第１のステップと、第１のステップで読み出された動画像情報及び付随情報を復号化する第２のステップと、第２のステップで復号化された動画像情報の解像度と付随情報の解像度とが互いに異なる場合に、付随情報の解像度を動画像情報の解像度に変換する第３のステップとを設けるようにした。
【００１６】
この結果、この再生装置では、互いに解像度の異なる複数の動画像情報に対応する付随情報をそれぞれ記憶メディアに記憶しなくとも、当該１つの付随情報を共用して各動画像情報の解像度に対応する付随情報として生成することができる。
【００１７】
さらに本発明においては、記憶メディアにおいて、互いに解像度が異なる複数の動画像情報と、動画像情報に付随する所定の解像度の付随情報とを所定の符号化方式により符号化して記憶するようにした。
【００１８】
この結果、この記憶メディアでは、例えばＮＴＳＣ方式、ＨＤＴＶ方式あるいはＰＡＬ方式等の各種方式のうち１方式だけの解像度に対応したモニタや再生装置等の各種映像機器に対してそれぞれ既存のままで映像ストリームを取り扱わせることができる。
【００１９】
【発明の実施の形態】
以下図面について、本発明の一実施の形態を詳述する。
【００２０】
図１において、１は全体として本実施の形態による再生装置を示し、所定位置に装填された記憶メディア２から読出部３を介して映画情報を読み出した後、復号化処理部４を介して当該映画情報に基づく映像をＨＤＴＶ及びＮＴＳＣ方式それぞれに対応したモニタ５へ表示すると共に、当該映画情報に基づく音声をスピーカ６から出力するようになされている。
【００２１】
この記憶メディア２には、映画情報として、図２に示すように、複数のシーンＳＮｉ  （ｉ＝１、２、……、ｎ）ごとに、ＨＤＴＶ方式に準拠した解像度の映像ストリーム（以下、これを高画質映像ストリームと呼ぶ）ＨＤＶＳｉ  と、ＮＴＳＣ方式に準拠した解像度の映像ストリーム（以下、これを標準画質映像ストリームと呼ぶ）ＳＤＶＳｉ  とが例えばＭＰＥＧ（Ｍｏｖｉｎｇ  Ｐｉｃｔｕｒｅ  Ｅｘｐｅｒｔｓ  Ｇｒｏｕｐ）等の所定の符号化方式により符号化されて記憶される。
【００２２】
そしてこれら各シーンＳＮｉ  の映像ストリームＨＤＶＳｉ  、ＳＤＶＳｉ  にそれぞれ対応付けて、所定国の言語に対応する高品質の音声ストリーム（以下、これを高品質音声ストリームと呼ぶ）ＨＤＡＳｉ  及び標準品質の音声ストリーム（以下、これを標準品質音声ストリームと呼ぶ）ＳＤＡＳｉ  が所定の符号化方式により符号化されて記憶される。
【００２３】
さらに各シーンＳＮｉ  の映像ストリームＨＤＶＳｉ  、ＳＤＶＳｉ  にそれぞれ対応付けて、国の言語に対応する複数の字幕のデータ（以下、これを字幕情報と呼ぶ）ＩＦｉ  ．  ｊ（ｊ  ＝１、２、……、ｎ）が所定の符号化方式により符号化されて記憶される。この字幕情報ＩＦｉ  ．  ｊ  は、ＨＤＴＶ方式に準拠した解像度としてビットマップ形式で記憶されている。
【００２４】
従って、この記憶メディア２では、ＨＤＴＶ方式及びＮＴＳＣ方式に準拠した解像度の映像ストリームＨＤＶＳｉ  、ＳＤＶＳｉ  を記憶している分、従来のように１つの解像度の映像ストリームごとに別々の記憶メディアに記憶していた場合に比して、ＨＤＴＶ方式又はＮＴＳＣ方式のうち１方式だけの解像度に対応したモニタや再生装置等の各種映像機器に対してそれぞれ既存のままで映像ストリームを取り扱わせることができるようになされている。
【００２５】
そしてこの再生装置１（図１）では、上述のようにして記憶メディア２に記憶された映画情報を再生する際の映像の解像度、音声の品質、字幕の言語及び開始シーン等の再生条件を選択部７を介して選択し得るようになされており、当該再生条件の選択結果をデータ（以下、これを再生選択データ）Ｄ１として読出部３及び復号化処理部４に送出するようになされている。
【００２６】
この場合、読出部３は、再生指令データＤ１に基づいて、２つの映像ストリームＨＤＶＳｉ  、ＳＤＶＳｉ  のいずれか一方と、２つの音声ストリームＨＤＡＳｉ、ＳＤＡＳｉ  のいずれか一方と、１つの国の言語に対応する字幕情報ＩＦｉ  ．  ｊとをそれぞれシーンＳＮｉ  ごとに順次記憶メディア２から読み出して復号化処理部４に送出する。
【００２７】
具体的に読出部３は、例えば標準画質の映像、高品質の音声及び日本語字幕を再生する旨の再生指令データＤ１が選択部７から与えられた場合、１番目のシーンＳＮ１（図２）から順次対応する標準画質映像ストリームＳＤＶＳｉ、高品質音声ストリームＨＤＡＳｉ及び日本語の字幕情報ＩＦｉ．２を復号化処理部４に送出する。
【００２８】
また読出部３は、例えば高解像度の映像、高品質の音声及び中国語字幕を１１番目のシーンＳＮ１１から再生する旨の再生指令データＤ１が選択部７から与えられた場合、１１番目のシーンＳＮ１１から順次対応する高画質映像ストリームＨＤＶＳｉ、高品質音声ストリームＨＤＡＳｉ及び中国語の字幕情報ＩＦｉ．ｎを復号化処理部４に送出する。
【００２９】
復号化処理部４は、再生指令データＤ１に基づいて記憶メディア２から読み出された映像ストリームＨＤＶＳｉ、ＳＤＶＳｉ、音声ストリームＨＤＡＳｉ  、ＳＤＡＳｉ及び字幕情報ＩＦｉ．ｊに対して所定の再生処理を施すことにより、当該映像ストリームＨＤＶＳｉ、ＳＤＶＳｉに基づく映像及び字幕情報ＩＦｉ．ｊに基づく字幕をモニタ５へ表示すると共に、音声ストリームＨＤＡＳｉ、ＳＤＡＳｉに基づく音声をスピーカ６から出力する。
【００３０】
このようにして再生装置１では、選択部７を介して選択された再生条件に応じた組み合わせでなる映画情報を再生することにより、再生時におけるスピーカ７の性能や国等の再生環境に応じた映像、字幕及び音声を任意のシーンから適宜再生することができるようになされている。
【００３１】
実際上、この復号化処理部４は、図３に示すように、音声復号化処理部１０及び画像復号化処理部２０によって構成されており、読出部３から供給される高品質音声ストリームＨＤＡＳｉ又は標準品質音声ストリームＳＤＡＳｉを音声復号化処理部１０に入力すると共に、高画質映像ストリームＨＤＶＳｉ又は標準画質映像ストリームＳＤＶＳｉと字幕情報ＩＦｉ  ．  ｊ  とを画像復号化処理部２０に入力するようになされている。
【００３２】
音声復号化処理部１０は、高品質音声ストリームＨＤＡＳｉ又は標準品質音声ストリームＳＤＡＳｉに対して対応する符号化方式に従って復号化処理及びＤ／Ａ（Ｄｉｇｉｔａｌ／Ａｎａｌｏｇ）変換処理を順次施し、得られたＨＤ音声信号Ｓ１０及びＳＤ音声信号Ｓ１１をスピーカ６（図１）に送出する。この結果、ＨＤ音声信号Ｓ１０に基づく高品質の音声又はＳＤ音声信号Ｓ１１に基づく標準品質の音声がスピーカ６から出力される。
【００３３】
一方、画像復号化処理部２０は、高画質の映像を再生する旨の再生指令データＤ１が選択部７から与えられた場合、解像度切替スイッチ２４の接続切片２４ａを第１の接続端２４ｂに接続するようになされており、この場合に読出部３から与えられる高画質映像ストリームＨＤＶＳｉ及び字幕情報ＩＦｉ  ．  ｊ  を対応するＨＤ画像復号化部２１及び字幕復号化部２２に入力する。
【００３４】
ＨＤ画像復号化部２１は、高画質映像ストリームＨＤＶＳｉに対して対応する符号化方式に従って復号化処理を施し、得られたＨＤ映像データＤ２１をＨＤ画像合成部２３に送出する。
【００３５】
字幕復号化部２２は、ＨＤＴＶ方式に準拠した解像度の字幕情報ＩＦｉ  ．  ｊ  に対して対応する符号化方式に従って復号化処理を施し、得られたＨＤ字幕データＤ２２をＨＤ画像合成部２３に送出する。
【００３６】
ＨＤ画像合成部２３は、ＨＤ映像データＤ２１及びＨＤ字幕データＤ２２それぞれに対してＤ／Ａ変換処理を施してＨＤ映像信号及びＨＤ字幕信号を生成した後、当該ＨＤ字幕信号をＨＤ映像信号に重畳し、得られた重畳信号Ｓ２３を解像度切替スイッチ２４を介してモニタ５に送出する。この結果、ＨＤ映像信号に基づく高画質の映像と、ＨＤ字幕信号に基づく高画質の字幕とがモニタ５に表示される。
【００３７】
これに対して画像復号化処理部２０は、標準画質の映像を再生する旨の再生指令データＤ１が選択部７から与えられた場合、解像度切替スイッチ２４の接続切片２４ａを第２の接続端２４ｃに接続するようになされており、この場合に読出部３から与えられる標準画質映像ストリームＳＤＶＳｉ及び字幕情報ＩＦｉ  ．  ｊ  を対応するＳＤ画像復号化部２５及び字幕復号化部２２に入力する。
【００３８】
ＳＤ画像復号化部２５は、標準画質映像ストリームＳＤＶＳｉに対して対応する符号化方式に従って復号化処理を施し、得られたＳＤ映像データＤ２５をＳＤ画像合成部２７に送出する。
【００３９】
解像度変換部２６は、字幕復号化部２２により上述した処理が施された結果当該字幕復号化部２２から与えられるＨＤ字幕データＤ２２に対して、字幕画像の縦横比を例えば０．５倍に縮小するフィルタ係数を用いてフィルタリング処理を施し、この結果得られたＮＴＳＣ方式に準拠した解像度のＳＤ字幕データＤ２６（図４（Ｂ））をＳＤ画像合成部２７に送出する。
【００４０】
ＳＤ画像合成部２７は、ＳＤ映像データＤ２５及びＳＤ字幕信号データＤ２６それぞれに対してＤ／Ａ変換処理を施してＳＤ映像信号及びＳＤ字幕信号を生成した後、当該ＳＤ字幕信号をＳＤ映像信号に重畳し、得られた重畳信号Ｓ２７を解像度切替スイッチ２４を介してモニタ５に送出する。この結果、ＳＤ映像信号Ｓ２６に基づく標準画質の映像と、ＳＤ字幕信号Ｓ２６に基づく標準画質の字幕とがモニタ５に表示される。
【００４１】
このようにして画像復号化処理部２０では、標準画質映像ストリームＳＤＶＳｉを復号化する場合にのみ、ＨＤＴＶに準拠した解像度のＨＤ字幕データＤ２２をＮＴＳＣに準拠した解像度のＳＤ映像データＤ２６に変換することにより、当該１つの字幕情報ＩＦｉ  ．  ｊ  を共用して各映像ストリームＨＤＶＳｉ、ＳＤＶＳｉの解像度に対応するＳＤ字幕データＤ２６として生成することができるようになされている。
【００４２】
この実施の形態の場合、再生装置１では、標準画質の映像を再生する旨が選択部７を介して選択された場合に、当該映像と共に表示する際の字幕の解像度を段階的に変更し得るようになされている。
【００４３】
具体的に再生装置１においては、ＮＴＳＣ方式に準拠した解像度に変換するためのフィルタ係数（字幕画像の縦横比を０．５倍に縮小するフィルタ係数）及び、当該解像度よりも段階的に高解像度に変換するための各種フィルタ係数（例えば縦横比を０．６５倍、０．７５倍、……、に縮小するようなフィルタ係数）を選択部７（図１）を介して選択させ、当該選択されたフィルタ係数をフィルタ係数指定データＤ１０として解像度変換部２６に送出する。
【００４４】
この場合、解像度変換部２６は、選択部７を介して選択させる各種フィルタ係数を内部メモリに有しており、当該選択部７から与えられるフィルタ係数指定データＤ１０に対応するフィルタ係数を読み出し、当該読み出したフィルタ係数で、ＨＤ字幕データＤ２２に対してフィルタリング処理を施すことによりＳＤ字幕データＤ２６を生成し、これをＳＤ画像再生部２７に送出する。
【００４５】
従って、ＮＴＳＣ方式に準拠した解像度よりも段階的に高解像度に変換するためのフィルタ係数が選択された場合には、ＮＴＳＣ方式に準拠した解像度の字幕よりも拡大された字幕がモニタ５に表示される。
【００４６】
このようにして解像度変換部２６は、選択部７を介して選択されたフィルタ係数に応じて、ＨＤ字幕データＤ２２の解像度をＮＴＳＣ方式に準拠した解像度又はそれ以上の高解像度に変換することにより、当該選択部７を介して選択するユーザの要求に応じて、ＮＴＳＣ方式に準拠した解像度の字幕よりも大きい字幕をモニタ５に表示できるようになされている。
【００４７】
ここで、上述したような再生装置１における画像再生処理は、図５に示す画像再生処理手順ＲＴに従ったソフトウェア処理によっても実現することができる。
【００４８】
すなわち、再生装置１は、内部に設けられたデータ格納メモリ、ワークメモリ及びＣＰＵ（Ｃｅｎｔｒａｌ  Ｐｒｏｃｅｓｓｉｎｇ  Ｕｎｉｔ）  等でなる制御部（図示せず）の制御の基、例えば電源投入時にデータ格納メモリに予め格納された所定の画像再生プログラムをワークメモリ上に読み出して、この画像再生処理手順ＲＴをステップＳＰ１において開始し、続くステップＳＰ２に進む。
【００４９】
そして再生装置１は、このステップＳＰ２において、選択部７を介して再生条件を選択させ、ステップＳＰ３に進んで、標準画質の映像を再生する旨が選択されたか否かを判断する。
【００５０】
ここで再生装置１は、ステップＳＰ３での判断の結果、標準画質の映像を再生する旨が選択された場合には、ステップＳＰ４に進んで、解像度を変換するためのフィルタ係数を選択部７を介して選択させ、ステップＳＰ５に進んで、ステップＳＰ２で選択された再生条件に応じて所定シーンＳＮｉの標準画質映像ストリームＳＤＶＳｉ及び字幕情報ＩＦｉ  ．  ｊ  を読み出し、続くステップＳＰ６に進む。
【００５１】
そして再生装置１は、このステップＳＰ６において、標準画質映像ストリームＳＤＶＳｉ及び字幕情報ＩＦｉ  ．  ｊ  に対してそれぞれ復号化処理を施すことによりＳＤ映像データＤ２５及びＨＤ字幕データＤ２２を生成すると共に、当該ＨＤ字幕データＤ２２に対してステップＳＰ４で選択させたフィルタ係数でフィルタリング処理を施すことによりＳＤ字幕データＤ２６を生成し、ステップＳＰ７に進む。
【００５２】
次いで再生装置１は、このステップＳＰ７において、ＳＤ映像データＤ２５及びＳＤ字幕データＤ２６に対してそれぞれＤ／Ａ変換処理を施すことによりＳＤ映像信号及びＳＤ字幕信号を生成し、当該ＳＤ映像信号にＳＤ字幕信号を重畳することにより生成した重畳信号Ｓ２７をモニタ５に送出した後、ステップＳＰ５に戻って、次のシーンＳＮｉの標準画質映像ストリームＳＤＶＳｉ及び字幕情報ＩＦｉ  ．  ｊ  を読み出す。
【００５３】
これに対して、ステップＳＰ３での判断の結果、標準画質の映像を再生する旨が選択されなかった場合、再生装置１は、ステップＳＰ５に進んで、ステップＳＰ２で選択された再生条件に応じて所定シーンＳＮｉの高画質映像ストリームＨＤＶＳｉ及び字幕情報ＩＦｉ  ．  ｊ  を読み出し、続くステップＳＰ６に進む。
【００５４】
そして再生装置１は、このステップＳＰ６において、高画質映像ストリームＨＤＶＳｉ及び字幕情報ＩＦｉ  ．  ｊ  に対してそれぞれ復号化処理を施すことによりＨＤ映像データＤ２１及びＨＤ字幕データＤ２２を生成し、その際ＨＤ字幕データＤ２２に対してフィルタリング処理を施すことなく、ステップＳＰ７に進む。
【００５５】
次いで再生装置１は、このステップＳＰ７において、ＨＤ映像データＤ２１及びＨＤ字幕データＤ２２に対してそれぞれＤ／Ａ変換処理を施すことによりＨＤ映像信号及びＨＤ字幕信号を生成し、当該ＨＤ映像信号にＨＤ字幕信号を重畳することにより生成した重畳信号Ｓ２３をモニタ５に送出した後、ステップＳＰ１５に戻って、次のシーンＳＮｉの高画質映像ストリームＨＤＶＳｉ及び字幕情報ＩＦｉ  ．  ｊ  を読み出す。
【００５６】
このようにして再生装置１は、ソフトウェア処理によっても画像再生処理を実現することができる。
【００５７】
以上の構成において、再生装置１は、記憶メディア２に記憶された高画質映像ストリームＨＤＶＳｉ及び標準画質映像ストリームＳＤＶＳｉのうち、当該字幕情報ＩＦｉ  ．  ｊ  と解像度の異なる標準画質映像ストリームＳＤＶＳｉが記憶メディアから読み出された場合にのみ、字幕情報ＩＦｉ  ．  ｊ  を復号化した後に標準画質映像ストリームＳＤＶＳｉの解像度に変換するようにした。
【００５８】
従って、この再生装置１は、高画質映像ストリームＨＤＶＳｉ及び標準画質映像ストリームＳＤＶＳｉの解像度にそれぞれ対応する字幕情報を記憶メディア２に記憶しなくとも、当該１つの字幕情報ＩＦｉ  ．  ｊ  を共用して各映像ストリームＨＤＶＳｉ、ＳＤＶＳｉの解像度に対応するＳＤ字幕データＤ２６として生成することができるため、当該記憶メディア２の記憶領域を有効に活用させることができる。
【００５９】
その際、再生装置１は、ＨＤ字幕データＤ２２の解像度を変換するための各種フィルタ係数を選択させ、当該選択されたフィルタ係数に応じて、ＳＤ字幕データＤ２６の解像度を標準画質映像ストリームＳＤＶＳｉの解像度以上に変換するようにした。
【００６０】
従って、この再生装置１は、当該選択部７を介して選択するユーザの要求に応じて、ＮＴＳＣ方式に準拠した解像度の字幕よりも大きい字幕をモニタ５に表示できるため、比較的遠くから目視する場合等の再生環境であっても字幕が見難いといった事態を回避できると共に、視力が弱いユーザに対していわゆるバリアフリー効果が期待できる。
【００６１】
また、記憶メディア２において、互いに解像度が異なる高画質映像ストリームＨＤＶＳｉ及び標準画質映像ストリームＳＤＶＳｉと、ＨＤＶＳに準拠した解像度の１つの字幕情報ＩＦｉ  ．  ｊ  をとを所定の符号化方式により符号化して記憶するようにした。
【００６２】
従って、この記憶メディア２では、例えばＮＴＳＣ方式及びＨＤＴＶ方式の各種方式のうち１方式だけの解像度に対応したモニタや再生装置等の各種映像機器に対してそれぞれ既存のままで映像ストリームを取り扱わせることができるため、当該記憶メディア２自体の実用性を向上させることができる。
【００６３】
以上の構成によれば、記憶メディア２に記憶された高画質映像ストリームＨＤＶＳｉ及び標準画質映像ストリームＳＤＶＳｉのうち、当該字幕情報ＩＦｉ  ．  ｊ
と解像度の異なる標準画質映像ストリームＳＤＶＳｉが記憶メディアから読み出された場合にのみ、字幕情報ＩＦｉ  ．  ｊ  を復号化した後に標準画質映像ストリームＳＤＶＳｉの解像度に変換するようにしたことにより、当該１つの字幕情報ＩＦｉ  ．  ｊ  を共用して各映像ストリームＨＤＶＳｉ、ＳＤＶＳｉの解像度に対応するＳＤ字幕データＤ２６として生成することができ、かくして、記憶メディア２の記憶領域を有効に活用させることができる。
【００６４】
なお上述の実施の形態においては、互いに解像度が異なる複数の動画像情報として、２つの高画質映像ストリームＨＤＶＳｉ及び標準画質映像ストリームＳＤＶＳｉをシーンＳＮｉごとに記憶メディア２に記憶するようにした場合について述べたが、本発明はこれに限らず、これらに加えて他の方式に準拠した解像度の動画像情報を記憶メディア２に記憶するようにしても良く、又はこれら高画質映像ストリームＨＤＶＳｉ及び標準画質映像ストリームＳＤＶＳｉ以外の方式に準拠した互いに解像度が異なる２以上の動画像情報を記憶するようにしても良い。
【００６５】
またこの場合、動画像情報をシーンＳＮｉごとに記憶メディア２に記憶しなくても良く、当該記憶メディア２に記憶する複数の動画像情報のそれぞれの映像内容が異なっていても良い。
【００６６】
また上述の実施の形態においては、動画像情報に付随する付随情報として、文字情報ＩＦｉ  ．  ｊ  を記憶メディア２に記憶するようにした場合について述べたが、本発明はこれに限らず、例えば所定のキャラクタを記憶メディア２に記憶するようにしても良く、この他種々の付随情報を本発明に適用することができる。
【００６７】
またこの場合、付随情報の解像度としては、記憶メディア２に記憶した複数の動画像情報の各解像度のいずれかと同じであっても良く、当該複数の動画像情報の各解像度のいずれにも属さない独自の解像度であっても良い。
【００６８】
さらに上述の実施の形態においては、記憶メディア２から読み出された映像ストリームＨＤＶＳｉ、ＳＤＶＳｉ及び字幕情報ＩＦｉ  ．  ｊ  をそれぞれ復号化する復号化手段をＨＤ画像復号化部２１、字幕復号化部２２及びＳＤ画像復号化部２５によって構成するようにした場合について述べたが、本発明はこれに限らず、この他種々の構成の復号化手段を本発明に適用することができる。
【００６９】
さらに上述の実施の形態においては、記憶メディア２に記憶された映像ストリームＨＤＶＳｉ、ＳＤＶＳｉ及び字幕情報ＩＦｉ  ．  ｊ  を読み出す読出手段を読出部３によって構成するようにした場合について述べたが、本発明はこれに限らず、この他種々の構成の読出手段を本発明に適用することができる。
【００７０】
さらに上述の実施の形態においては、ＨＤ字幕データＤ２２の解像度をＳＤ映像データＤ２５の解像度に変換する解像度変換手段として、ＨＤ字幕データＤ２２に対して所定のフィルタ係数でフィルタリング処理を施すことによりＳＤ字幕データＤ２６を生成する解像度変換部２６を本発明に適用するようにした場合について述べたが、本発明はこれに限らず、例えばＨＤ字幕データＤ２２に対して字幕画像の画素を間引く補間処理を施すことによりＳＤ字幕データＤ２６を生成する解像度変換手段等、この他種々の解像度変換手段を本発明に適用することができる。
【００７１】
またこの場合、ＨＤ字幕データＤ２２の解像度の変換割合を選択させる選択手段としての選択部７により、当該ＨＤ字幕データＤ２２の解像度を段階的に変換するための各種フィルタ係数を変換割合として選択させるようにしたが、例えば字幕画像の画素を間引く割合を変換割合として選択させるようにする等、解像度変換手段における変換割合を選択させるようにしても良く、また解像度変換手段の変換内容とは別に独自にＨＤ字幕データＤ２２の解像度の変換割合を選択させるようにしても良い。
【００７２】
さらにこの場合、この選択手段は、例えば操作部からの入力によって選択させるようにしても良く、音声によって選択させる等、この他種々の手法と適用することができる。
【００７３】
さらに上述の実施の形態においては、解像度変換部２６により、選択されたフィルタ係数に応じてＨＤ字幕データＤ２２の解像度をＳＤ映像データＤ２５の解像度以上に変換するようにした場合について述べたが、本発明はこれに限らず、当該選択されたフィルタ係数に応じてＳＤ映像データＤ２５の解像度以上に変換すると共に色を変更するようにしても良い。この場合、各種フィルタ係数にそれぞれ異なる色を対応付けて変更するようにすれば、モニタ５に表示される字幕の色を目視するだけで当該字幕の解像度を認識させることができ、使い勝手を向上することができる。
【００７４】
さらに上述の実施の形態においては、図１及び図３に示した再生装置１を本発明に適用するようにした場合について述べたが、本発明はこれに限らず、この他種々の構成の再生装置を本発明に適用することができる。またこの場合、画像復号化処理部２０を再生装置１とは別体の復号化装置としても良く、その際この画像復号化処理部２０の構成以外の構成の復号化装置であっても良い。
【００７５】
【発明の効果】
以上のように本発明によれば、復号化装置において、所定の符号化方式により符号化され、記憶メディアに記憶された互いに解像度が異なる複数の動画像情報及び動画像情報に付随する所定の解像度の付随情報のうち、記憶メディアから読み出された所定の解像度の動画像情報及び付随情報をそれぞれ復号化する復号化手段と、復号化手段により復号化された動画像情報の解像度と付随情報の解像度とが互いに異なる場合に、付随情報の解像度を動画像情報の解像度に変換する解像度変換手段とを設けるようにしたことにより、当該複数の動画像情報に対応する付随情報をそれぞれ記憶メディアに記憶しなくとも、当該１つの付随情報を共用して各動画像情報の解像度に対応する付随情報として生成することができ、かくして、記憶メディアの記憶領域を有効に活用させることができる。
【００７６】
また本発明によれば、復号化方法において、所定の符号化方式により符号化され、記憶メディアに記憶された互いに解像度が異なる複数の動画像情報及び動画像情報に付随する所定の解像度の付随情報のうち、記憶メディアから読み出された所定の解像度の動画像情報及び付随情報をそれぞれ復号化する第１のステップと、第１のステップで復号化された動画像情報の解像度と付随情報の解像度とが互いに異なる場合に、付随情報の解像度を動画像情報の解像度に変換する第２のステップとを設けるようにしたことにより、当該複数の動画像情報に対応する付随情報をそれぞれ記憶メディアに記憶しなくとも、当該１つの付随情報を共用して各動画像情報の解像度に対応する付随情報として生成することができ、かくして、記憶メディアの記憶領域を有効に活用させることができる。
【００７７】
さらに本発明によれば、再生装置において、所定の符号化方式により符号化され、記憶メディアに記憶された互いに解像度が異なる複数の動画像情報及び動画像情報に付随する所定の解像度の付随情報のうち、所定の解像度の動画像情報及び付随情報を記憶メディアから読み出す読出手段と、読出手段により読み出された動画像情報及び付随情報を復号化する復号化手段と、復号化手段により復号化された動画像情報の解像度と付随情報の解像度とが互いに異なる場合に、付随情報の解像度を動画像情報の解像度に変換する解像度変換手段とを設けるようにしたことにより、当該複数の動画像情報に対応する付随情報をそれぞれ記憶メディアに記憶しなくとも、当該１つの付随情報を共用して各動画像情報の解像度に対応する付随情報として生成することができ、かくして、記憶メディアの記憶領域を有効に活用させることができる。
【００７８】
さらに本発明によれば、再生方法において、所定の符号化方式により符号化され、記憶メディアに記憶された互いに解像度が異なる複数の動画像情報及び動画像情報に付随する所定の解像度の付随情報のうち、所定の解像度の動画像情報及び付随情報を記憶メディアから読み出す第１のステップと、第１のステップで読み出された動画像情報及び付随情報を復号化する第２のステップと、第２のステップで復号化された動画像情報の解像度と付随情報の解像度とが互いに異なる場合に、付随情報の解像度を動画像情報の解像度に変換する第３のステップとを設けるようにしたことにより、当該複数の動画像情報に対応する付随情報をそれぞれ記憶メディアに記憶しなくとも、当該１つの付随情報を共用して各動画像情報の解像度に対応する付随情報として生成することができ、かくして、記憶メディアの記憶領域を有効に活用させることができる。
【００７９】
さらに本発明においては、記憶メディアにおいて、互いに解像度が異なる複数の動画像情報と、動画像情報に付随する所定の解像度の付随情報とを所定の符号化方式により符号化して記憶するようにしたことにより、例えばＮＴＳＣ方式、ＨＤＴＶ方式あるいはＰＡＬ方式等の各種方式のうち１方式だけの解像度に対応したモニタや再生装置等の各種映像機器に対してそれぞれ既存のままで映像ストリームを取り扱わせることができ、かくして、記憶メディア自体の実用性を向上させることができる。
【００８０】
【図面の簡単な説明】
【図１】本実施の形態による再生装置の全体構成を示すブロック図である。
【図２】記憶メディアの記憶内容を示す略線図である。
【図３】再生処理部の構成を示すブロック図である。
【図４】解像度の変換の説明に供する略線図である。
【図５】画像再生処理手順を示すフローチャートである。
【図６】従来の記憶メディアの記憶内容（１）を示す略線図である。
【図７】従来の記憶メディアの記憶内容（２）を示す略線図である。
【符号の説明】
１……再生装置、２……記憶メディア、３……読出部、４……復号化処理部、５……モニタ、６……スピーカ、７……選択部、２０……画像復号化処理部、２１……ＨＤ画像復号化部、２２……字幕復号化部、２３……ＨＤ画像合成部、２５……ＳＤ画像復号化部、２６……解像度変換部、２７……ＳＤ画像合成部、ＲＴ……画像再生処理手順。
【図１】
2004312304.tif 000003
【図２】
2004312304.tif 000004
【図３】
2004312304.tif 000005
【図４】
2004312304.tif 000006
【図５】
2004312304.tif 000007
【図６】
2004312304.tif 000008
【図７】
2004312304.tif 000009